(57)【要約】【課題】電波干渉状態を簡単に確認することが可能な非接触ＩＣカードリーダライタを提供する。【解決手段】ループアンテナ１２にて受信した受信信号を電波干渉検出部１４の２値化処理部１４ａにて２値化した受信クロック信号の周波数と送信した送信キャリア信号の２値化情報である２値化キャリア信号の周波数（例えば１３．５６ＭＨｚ）とを検出部１４ｂにて比較し、双方の信号の周波数が同一であった場合には、電波干渉はないものと判定し、同一ではなかった場合には、電波干渉があるものと判定し、電波干渉有無の判定結果として出力する。２値化処理部１４ａにて、受信信号を２値化する際の閾値レベルを可変に設定することができる。また、電波干渉検出部１４から出力される電波干渉有無の判定結果をＬＥＤ１５により表示したり、当該非接触ＩＣカードリーダライタ１０が接続される上位機に通知したりすることができる。【選択図】        図１
2010087648.tif 000002
【特許請求の範囲】
【請求項１】
非接触ＩＣカードに対する読み書きを行う非接触ＩＣカードリーダライタにおいて、受信した受信信号を２値化した受信クロック信号と送信した送信キャリア信号の２値化情報である２値化キャリア信号との周波数を比較し、双方の信号の周波数が同一であった場合には、電波干渉はないものと判定し、同一ではなかった場合には、電波干渉があるものと判定し、電波干渉有無の判定結果として出力する電波干渉検出部を備えていることを特徴とする非接触ＩＣカードリーダライタ。
【請求項２】
前記電波干渉検出部において、前記受信信号を２値化する際の閾値レベルを可変に設定することができることを特徴とする請求項１に記載の非接触ＩＣカードリーダライタ。
【請求項３】
前記電波干渉検出部において、電波干渉の有無を検出する回路として、１個のフリップフロップを備え、前記フリップフロップのクロック端子に前記受信クロック信号を入力し、前記フリップフロップのデータ端子に前記２値化キャリア信号を入力し、前記フリップフロップの出力が変化しない場合は、電波干渉なしと判定し、前記フリップフロップの出力が何らかの周波数で変化する場合は、電波干渉ありと判定することを特徴とする請求項１または２に記載の非接触ＩＣカードリーダライタ。
【請求項４】
前記電波干渉検出部から出力される電波干渉有無の前記判定結果を表示するＬＥＤを備えていることを特徴とする請求項１ないし３のいずれかに記載の非接触ＩＣカードリーダライタ。
【請求項５】
前記電波干渉検出部から出力される電波干渉有無の前記判定結果を、当該非接触ＩＣカードリーダライタが接続される上位機に通知することを特徴とする請求項１ないし４のいずれかに記載の非接触ＩＣカードリーダライタ。
【請求項６】
前記電波干渉検出部を動作させるかあるいは停止させるかを任意に切り替えることができるスイッチを備えていることを特徴とする請求項１ないし４のいずれかに記載の非接触ＩＣカードリーダライタ。
【請求項７】
非接触ＩＣカードに対する読み書きを行う非接触ＩＣカードリーダライタにおける電波干渉状態判定方法であって、受信した受信信号を２値化した受信クロック信号と送信した送信キャリア信号の２値化情報である２値化キャリア信号との周波数を比較し、双方の信号の周波数が同一であった場合には、電波干渉はないものと判定し、同一ではなかった場合には、電波干渉があるものと判定し、電波干渉有無の判定結果として出力することを特徴とする電波干渉状態判定方法。
【請求項８】
前記受信信号を２値化する際の閾値レベルを可変に設定することができることを特徴とする請求項７に記載の電波干渉状態判定方法。
【請求項９】
前記判定結果を当該非接触ＩＣカードリーダライタに備えたＬＥＤに表示することを特徴とする請求項７または８に記載の電波干渉状態判定方法。
【請求項１０】
前記判定結果を、当該非接触ＩＣカードリーダライタが接続される上位機に通知することを特徴とする請求項７ないし９のいずれかに記載の電波干渉状態判定方法。
【発明の詳細な説明】
【技術分野】
【０００１】
本発明は、非接触ＩＣカードリーダライタおよび電波干渉状態判定方法に関する。
【背景技術】
【０００２】
非接触ＩＣカードリーダライタは、一般的に、産業、科学、医療用に広く利用されているキャリア周波数（例えば１３．５６ＭＨｚを想定）を用いて非接触ＩＣカードと通信を行う。しかし、同一のキャリア周波数を使用した非接触ＩＣカードと一言で称しても、最近は、通信方式が異なる場合や、用途が異なる場合など、多様化が進展しており、対応する非接触ＩＣカードリーダライタが異なる場合が多々発生してきている。
【０００３】
例えば、店舗のレジ等で使用する非接触ＩＣカードリーダライタでは、異なる種類のクレジットＩＣカードに対応を要する場合や、店舗専用のポイントカード対応のＩＣカードなど様々なＩＣカードの読取りが使われる場合があり、それぞれに対応するには、各種のＩＣカードに対応する非接触ＩＣカードリーダライタを複数台設置しなければならないという状況になってきている。
【０００４】
かかる状況において、店舗のレジという限られたスペースに複数台の非接触ＩＣカードリーダライタを設置しようとする際、複数台の非接触ＩＣカードリーダライタを互いに近接させて近距離に設置して運用すると、非接触ＩＣカードリーダライタ間で互いの電波干渉が発生して、非接触ＩＣカードとの通信において通信エラーを引き起こしてしまい、正常なリードライト動作を行うことができない事態が発生する。
【０００５】
その対策として、複数の非接触ＩＣカードリーダライタ間は、相互干渉が生じない距離としてあらかじめ設定した距離であるＸＸｃｍ以上離して設置するように、非接触ＩＣカードリーダライタの製造メーカは注意を促したりしているが、実際には、近接して設置される非接触ＩＣカードリーダライタの磁界強度やアンテナサイズなどにより、電波干渉の影響度合いが異なるため、最適な設置環境をあらかじめ設定するのは、非常に困難である。
【０００６】
そのため、実環境下において通信エラーの要因となる電波干渉状態を調査しようとする場合、特許文献１の特開平５−２６４６１９号公報「ＥＭＩ自動計測装置」にも記載のように、通常、スペクトラムアナライザなどの専用測定器が必要となり、スペクトラムアナライザなどを用いて、電波干渉を引き起こしているノイズ成分を定量的に測定するという対応策が提案されている。
【特許文献１】特開平５−２６４６１９号公報（第２−３頁）
【発明の開示】
【発明が解決しようとする課題】
【０００７】
しかしながら、スペクトラムアナライザなどの専用測定器は、一般に高価であり、かつ、熟練した測定作業が必要となるため、店舗のレジなどの実際の非接触ＩＣカードリーダライタの設置環境において簡単に電波干渉状態の調査を行うことは困難であるという問題がある。
【０００８】
本発明は、かくのごとき従来技術の問題点に鑑みてなされたものであり、電波干渉状態を簡単に確認することが可能な非接触ＩＣカードリーダライタおよび電波干渉状態判定方法を提供することを、その目的としている。
【課題を解決するための手段】
【０００９】
前述の課題を解決するため、本発明による非接触ＩＣカードリーダライタおよび電波干渉状態判定方法は、次のような特徴的な構成を採用している。
【００１０】
（１）非接触ＩＣカードに対する読み書きを行う非接触ＩＣカードリーダライタにおいて、受信した受信信号を２値化した受信クロック信号と送信した送信キャリア信号の２値化情報である２値化キャリア信号との周波数を比較し、双方の信号の周波数が同一であった場合には、電波干渉はないものと判定し、同一ではなかった場合には、電波干渉があるものと判定し、電波干渉有無の判定結果として出力する電波干渉検出部を備えている非接触ＩＣカードリーダライタ。
【発明の効果】
【００１１】
本発明の非接触ＩＣカードリーダライタおよび電波干渉状態判定方法によれば、以下のような効果を得ることができる。
【００１２】
すなわち、本発明の非接触ＩＣカードリーダライタには、ループアンテナの受信信号を２値化した２値化クロック信号の周波数を、送信したキャリア信号の２値化情報である２値化キャリア信号の周波数と比較することによって、該受信信号に、送信したキャリア信号以外の周波数を含むか否かを判別する電波干渉検出部を備えているので、電波干渉状態を非接触ＩＣカードリーダライタにて自動的に検出することができる。
【００１３】
さらには、本発明の非接触ＩＣカードリーダライタにＬＥＤを配備し、電波干渉検出部が検出した電波干渉状態によりＬＥＤの点灯状態を制御しているので、ＬＥＤの点灯状態を確認することによって、近接して配置された他の非接触ＩＣカードリーダライタとの間で発生する可能性がある電波干渉状態を非接触ＩＣカードリーダライタの設置場所で直ちにかつ容易に確認することができる。
【発明を実施するための最良の形態】
【００１４】
以下、本発明による非接触ＩＣカードリーダライタおよび電波干渉状態判定方法の好適な実施例について添付図を参照して説明する。以下の説明においては、本発明による非接触ＩＣカードリーダライタについて、その構成および動作の一例を詳細に説明するが、本発明はかかる実施形態のみに限るものではなく、その趣旨に沿う限り如何なる実現手段を用いても構わなく、また、以下に説明するような非接触ＩＣカードリーダライタの動作を実現するための方法を、本発明による電波干渉状態判定方法として容易に適用することが可能であることも自明である。
【００１５】
（本発明の特徴）
本発明の実施形態の説明に先立って、本発明の特徴について、その概要をまず説明する。本発明による非接触ＩＣカードリーダライタおよび電波干渉状態判定方法は、同一周波数を使用する他の非接触ＩＣカードリーダライタによる電波干渉を、当該非接触ＩＣカードリーダライタから出力するキャリア信号の波形歪みを検出することによって判定し、かつ、電波干渉状態を、非接触ＩＣカードリーダライタの表面に備えられたＬＥＤ等によって表示することを特徴としている。
【００１６】
ここで、キャリア信号の波形歪みは、非接触ＩＣカードリーダライタ内のキャリア信号（つまり送信キャリア信号）の２値化情報である２値化キャリア信号とアンテナ部におけるキャリア信号を２値化したクロック信号（つまり受信信号に含まれるキャリア信号を２値化した受信クロック信号）との周波数成分を比較することにより、検出することを特徴としている。
【００１７】
（実施例の構成）
図１は、本発明に係る非接触ＩＣカードリーダライタのブロック構成の一例を示すブロック構成図である。また、図２は、従来の非接触ＩＣカードリーダライタのブロック構成を示すブロック構成図であり、図１の非接触ＩＣカードリーダライタ１０と同じ回路ブロックには同じ符号を付して示している。
【００１８】
図１に示す非接触ＩＣカードリーダライタ１０は、図２に示す従来の非接触ＩＣカードリーダライタ１０Ａの場合と同様、送信部１１、ループアンテナ１２および検波部１３ａ、増幅部１３ｂ、信号処理部１３ｃを含む受信部１３、を備えており、当該非接触ＩＣカードリーダライタ１０に近接してかざされた非接触ＩＣカード５０と通信を行う機能を有している他に、さらに、２値化処理部１４ａ、検出部１４ｂを少なくとも含む電波干渉検出部１４を備えて、電波干渉の発生の有無を検出する機能を有している。また、本非接触ＩＣカードリーダライタ１０には、電波干渉状態を表示するためのＬＥＤ等の表示部をさらに備えている。
【００１９】
（実施例の動作の説明）
図１に示す非接触ＩＣカードリーダライタ１０が、図２に示すような通常の非接触ＩＣカード５０と通信を行う場合は、図２の従来の非接触ＩＣカードリーダライタ１０Ａの場合と同様、送信部１１において変調信号によりキャリア周波数（例えば１３．５６ＭＨｚの周波数）を変調し、ループアンテナ１２から非接触ＩＣカード５０へデータを送信する。一方、非接触ＩＣカード５０からのデータの受信は、ループアンテナ１２によって行われ、受信信号は受信部１３に送付され、検波部１３ａにて検波され、増幅部１３ｂにて増幅された後、信号処理部１３ｃにて信号処理等が行われることにより受信データとしてデコード処理される。
【００２０】
次に、図１に示す非接触ＩＣカードリーダライタ１０の特徴として付与されている、電波干渉の発生の有無を検出する機能について、その動作を図３を用いて説明する。図３は、図１の非接触ＩＣカードリーダライタ１０の電波干渉検出機能の動作の一例を説明する説明図である。
【００２１】
ここで、電波干渉とは、当該非接触ＩＣカードリーダライタ１０と同じキャリア周波数（例えば１３．５６ＭＨｚ）を発振源として備えている他の非接触ＩＣカードリーダライタが当該非接触ＩＣカードリーダライタ１０に近接して配置されたりすることにより、両者の発振源からの電波が互いに干渉し合う結果として、当該非接触ＩＣカードリーダライタ１０が非接触ＩＣカード５０と通信を行っている電波波形に歪みが生じる現象のことである。
【００２２】
一方、非接触ＩＣカードリーダライタ１０に近接した非接触ＩＣカード５０からの応答の電波については、非接触ＩＣカード５０は、独自の発振源を備えていなく、当該非接触ＩＣカードリーダライタ１０から受信したキャリア信号（１３．５６ＭＨｚ）をベースにして動作するものであり、非接触ＩＣカード５０側の負荷変動に応じて、受信したキャリア信号を変調して、応答電波信号として、当該非接触ＩＣカードリーダライタ１０へ送信してくるので、当該非接触ＩＣカードリーダライタ１０が送信する電波との干渉は生じない。
【００２３】
図１に示す非接触ＩＣカードリーダライタ１０において、電波干渉検出部１４は常時動作しており、電波干渉検出部１４の２値化処理部１４ａでは、ループアンテナ１２からの受信信号（近接した非接触ＩＣカードや他の非接触ＩＣカードリーダライタが存在していない状態では、送信したキャリア信号そのものが受信信号となる）を常時受け取って２値化処理を行っている。
【００２４】
図３に示すように、非接触ＩＣカードリーダライタ１０の近傍には送信キャリア信号１００（つまり、送信キャリア信号の２値化情報である２値化キャリア信号１００）の周波数（例えば１３．５６ＭＨｚ）と同一周波数の電波を送信する他の発振源が存在していなく、電波干渉がない通常時においては、ループアンテナ１２は送信部１１から変調信号による変調を受けて送信される送信キャリア信号１００の周波数（例えば１３．５６ＭＨｚ）と同一の周波数ｆのアナログ受信信号１０５を受信しているので、アナログ受信信号１０５の２値化処理結果として、送信キャリア信号１００と同一の周波数ｆ（例えばｆ＝１３．５６ＭＨｚ）のクロック信号１１０が得られる。
【００２５】
したがって、電波干渉検出部１４の検出部１４ｂにおいて、送信された送信キャリア信号１００の周波数ｆ（例えば１３．５６ＭＨｚ）とクロック信号１１０の周波数ｆ（例えば１３．５６ＭＨｚ）とが比較されて、両者が同一の周波数であることが判別されることによって、電波干渉が発生していないものと判定される。
【００２６】
一方、非接触ＩＣカードリーダライタ１０の近傍に送信キャリア信号１００の周波数（例えば１３．５６ＭＨｚ）と同一周波数の電波を送信する発振源を備えた非接触ＩＣカードリーダライタが存在している場合は、両者の非接触ＩＣカードリーダライタが送信するキャリア周波数同士が重なり合うため、送信キャリア信号１００の電波干渉が発生する。
【００２７】
電波干渉が発生する場合、図３に示すように、ループアンテナ１２で受信されるアナログ受信信号としては、送信キャリア信号１００の周波数ｆ（例えば１３．５６ＭＨｚ）に対して規則性を有する波形歪みが発生し、送信キャリア信号１００の周波数（例えば１３．５６ＭＨｚ）よりも高い周波数Ｆのアナログ受信信号１０５ａを受信することになる。この結果、２値化処理結果として、送信キャリア信号１００の周波数ｆ（例えば１３．５６ＭＨｚ）よりも高い周波数Ｆ（例えば、１３．５６ＭＨｚよりも高い周波数、場合によっては、１３．５６ＭＨｚの倍数である２７．１２ＭＨｚの周波数）のクロック信号１２０が出力される。
【００２８】
したがって、電波干渉検出部１４の検出部１４ｂにおいて、送信された送信キャリア信号の２値化情報である２値化キャリア信号１００の周波数ｆ（例えば１３．５６ＭＨｚ）とクロック信号１２０（つまり受信した受信信号を２値化した受信クロック信号）の周波数Ｆとが比較されて、両者が同一の周波数ではないことが判別されることによって、電波干渉が発生しているものと判定される。
【００２９】
つまり、電波干渉検出部１４の２値化処理部１４ａにおける２値化処理後のクロック信号の周波数が、送信キャリア信号の２値化情報である２値化キャリア信号１００の周波数ｆ（例えば１３．５６ＭＨｚ）と等しいか、あるいは、２値化キャリア信号１００の周波数ｆよりも高い周波数（例えば１３．５６ＭＨｚよりも高い周波数か、その倍数の２７．１２ＭＨｚの周波数）であるかを、検出部１４ｂにおいて検出することにより、電波干渉状態を検知することができる。
【００３０】
次に、電波干渉検出部１４の検出部１４ｂの具体的な回路構成の一例について、図４を用いて説明する。図４は、図１の非接触ＩＣカードリーダライタ１０の電波干渉検出部１４の検出部１４ｂにおいて電波干渉状態を検出するための具体的な検出回路の一構成例を示す回路図であり、クロック端子（ＣＫ）を有するフリップフロップ２０を１個のみ備えた構成とする場合を示している。
【００３１】
ここで、フリップフロップ２０のクロック入力端子（ＣＫ）には、２値化処理部１４ａにおいて２値化処理された後のクロック信号１１０が入力される。つまり、電波干渉がない場合は、２値化キャリア信号１００の周波数ｆ（例えば１３．５６ＭＨｚ）と等しい周波数のクロック信号１１０が入力され、一方、電波干渉がある場合は、２値化キャリア信号１００の周波数ｆ（例えば１３．５６ＭＨｚ）よりも高い周波数Ｆ（例えば１３．５６ＭＨｚよりも高い周波数か、その倍数の２７．１２ＭＨｚの周波数）のクロック信号１１０が入力される。
【００３２】
また、フリップフロップ２０のデータ入力端子（Ｄ）には、送信部１１に入力される２値化キャリア信号１００（例えば周波数ｆ＝１３．５６ＭＨｚ）が入力される。
【００３３】
この結果、電波干渉がない場合は、クロック入力端子（ＣＫ）とデータ入力端子（Ｄ）とに同一周波数の信号が入力されるので、フリップフロップ２０の出力端子（Ｑ）からの出力信号は、変化することがなく、同一レベル（０レベル）の信号が検出信号として出力される。
【００３４】
一方、電波干渉がある場合は、データ入力端子（Ｄ）に入力される２値化キャリア信号１００の周波数ｆに対してクロック入力端子（ＣＫ）に入力されるクロック信号の周波数Ｆの方が高いため、フリップフロップ２０の出力端子（Ｑ）からの出力信号は、変化を生じ、電波干渉で発生した周波数分の信号が検出信号として出力される。例えば、クロック信号の周波数Ｆが、２値化キャリア信号１００の周波数ｆ＝１３．５６ＭＨｚの２倍のＦ＝２７．１２ＭＨｚの周波数であった場合には、両者の差分の１３．５６ＭＨｚの周波数を有する検出信号がフリップフロップ２０の出力端子（Ｑ）から出力される。
【００３５】
したがって、図４に示すような１個のフリップフロップ２０のみからなる簡易な検出回路を構成するだけで、フリップフロップ２０の出力信号（検出信号）として、電波干渉状態を検知することができる。
【００３６】
電波干渉検出部１４の検出部１４ｂにおける検知結果を、非接触ＩＣカードリーダライタ１０が接続されている上位機に送信して、上位機において電波干渉状態を表示することも可能であるが、図５に示すように、当該非接触ＩＣカードリーダライタ１０の表面部に配備したＬＥＤ１５の点灯状態を、電波干渉状態に応じて変化させることによって、当該非接触ＩＣカードリーダライタ１０の使用者に対して電波干渉状態を直ちに通知することも可能である。図５は、図１の非接触ＩＣカードリーダライタ１０の電波干渉検出部１４の検出部１４ｂにおける電波干渉状態の検知結果を使用者に表示する具体的な回路構成の一例を示す回路図であり、非接触ＩＣカードリーダライタ１０の表面部に配備されたＬＥＤ１５の点灯状態を電波干渉状態の検知結果に応じて変化させる回路構成例を示している。
【００３７】
図５に示す表示回路は、非接触ＩＣカードリーダライタ１０の表面部に配備されたＬＥＤ１５の一端が、負荷抵抗１７を介して電源に接続され、他端が駆動用トランジスタ１６のコレクタに接続され、駆動用トランジスタ１６のベースに入力されてくる信号が０レベルを超えた場合に、ＬＥＤ１５に電流が流れて、ＬＥＤ１５が点灯するという一般的な回路構成を用いて構成されている。
【００３８】
ここで、図５に示すように、検出部１４ｂを構成する図４に示すフリップフロップ２０の出力端子（Ｑ）を、駆動用トランジスタ１６にベース接続抵抗を介して直接接続することも可能であり、この場合、電波干渉がない場合は、前述のように、フリップフロップ２０の出力端子（Ｑ）からの出力信号（検出信号）は、変化することがなく、同一レベル（０レベル）であるので、ＬＥＤ１５には電流が流れなく、ＬＥＤ１５が点灯することはない。
【００３９】
一方、電波干渉がある場合は、前述のように、フリップフロップ２０の出力端子（Ｑ）からの出力信号（検出信号）は、電波干渉で発生した周波数分の信号として出力される。例えば、クロック信号の周波数Ｆが、２値化キャリア信号１００の周波数ｆ＝１３．５６ＭＨｚの２倍のＦ＝２７．１２ＭＨｚの周波数であった場合には、両者の差分の１３．５６ＭＨｚの周波数を有する検出信号がフリップフロップ２０の出力端子（Ｑ）から出力され、検出信号の周波数に応じて、ＬＥＤ１５に断続的に電流が流れることになり、ＬＥＤ１５は、点滅することになる。
【００４０】
しかし、かくのごとく、電波干渉がある場合、フリップフロップ２０の出力端子（Ｑ）から出力される検出信号の周波数が、１３．５６ＭＨｚ程度と、一般的には高い周波数となるため、この検出信号を駆動用トランジスタ１６にベース接続抵抗を介して直接入力して、ＬＥＤ１５をドライブするような回路構成としても、人の目にはＬＥＤ１５が連続して点灯している状態として見えることになる。
【００４１】
つまり、検出部１４ｂを構成するフリップフロップ２０の出力端子（Ｑ）から出力される検出信号を、平滑化したり、あるいは、特に、ＣＰＵ等によって処理したりすることは不要であり、ＬＥＤ１５ドライブ用の駆動用トランジスタ１６にハードウェア的に直接入力するという簡易な回路構成で、ＬＥＤ１５をドライブすることにしても、電波干渉状態をＬＥＤ１５の点灯状態として表示させることが可能である。
【００４２】
（本実施例の効果の説明）
本実施例における非接触ＩＣカードリーダライタ１０によれば、図１に示すように、電波干渉検出部１４を備えているので、電波干渉状態を非接触ＩＣカードリーダライタ１０にて自動的に検出することができる。さらには、図６に示すように、非接触ＩＣカードリーダライタ１０の表面部に配備したＬＥＤ１５の点灯状態によって、近接して配置された他の非接触ＩＣカードリーダライタとの間で発生する可能性がある電波干渉状態を容易に確認することができる。
【００４３】
ここに、図６は、図１の非接触ＩＣカードリーダライタ１０のＬＥＤ１５の点灯状態の一例を示す説明図であり、図６（Ａ）は、非接触ＩＣカードリーダライタ１０と他の非接触ＩＣカードリーダライタとが、電波干渉が発生しないほど十分に離れた距離に配置されていて、電波干渉表示用のＬＥＤ１５が消灯状態にある場合を示し、図６（Ｂ）は、非接触ＩＣカードリーダライタ１０と他の非接触ＩＣカードリーダライタとが、近い距離に配置されていて、電波干渉が発生しており、電波干渉表示用のＬＥＤ１５が点灯状態にある場合を示している。
【００４４】
つまり、非接触ＩＣカードリーダライタ１０の使用者（ユーザ）は、電波干渉状態表示用として非接触ＩＣカードリーダライタ１０の表面部に配備されているＬＥＤ１５の点灯状態を確認しながら、非接触ＩＣカードリーダライタ間の設置状態を調整することによって、電波干渉の影響を受けない設置状態を容易に把握することができ、非接触ＩＣカードリーダライタ１０と非接触ＩＣカード５０との通信における電波干渉による通信不具合の発生を容易に防止することができる。
【００４５】
（本発明の他の実施例）
前述の実施例においては、電波干渉状態を検出する電波干渉検出部１４を常時動作させる場合を例にとって説明したが、実運用の場合、電波干渉状態を確認する必要がある場合は、非接触ＩＣカードリーダライタの設置時や通信エラーの発生による読み取り不具合が発生した場合などに限定されるので、例えば、電波干渉検出部１４の動作／停止を制御するスイッチ等を設け、必要な時のみ、スイッチをＯＮにして電波干渉検出部１４を動作させるようにしても良い。
【００４６】
また、電波干渉がある場合には、ＬＥＤ１５を点灯させる動作以外に、当該非接触ＩＣカードリーダライタ１０が接続されている上位機側に電波干渉が発生している状態であることを、通知することも可能である。
【００４７】
また、電波干渉検出部１４において、電波干渉の有無を示す波形歪みの検出レベルを変更したい場合に備えて、２値化処理部１４ａにおいて受信信号の２値化処理を行う際に用いる閾値レベルを可変に設定することを可能とするようにしても良い。
【００４８】
なお、前述の実施例においては、キャリア周波数が１３．５６ＭＨｚの場合を例にとって説明したが、本発明はかかる周波数に限るものではなく、他の周波数（ＵＨＦ帯や２．４５ＧＨｚ）であっても同様に適用することが可能である。
【００４９】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記電波干渉検出部において、前記受信信号を２値化する際の閾値レベルを可変に設定することができる上記（１）の非接触ＩＣカードリーダライタ。
（３）前記電波干渉検出部において、電波干渉の有無を検出する回路として、１個のフリップフロップを備え、前記フリップフロップのクロック端子に前記受信クロック信号を入力し、前記フリップフロップのデータ端子に前記２値化キャリア信号を入力し、前記フリップフロップの出力が変化しない場合は、電波干渉なしと判定し、前記フリップフロップの出力が何らかの周波数で変化する場合は、電波干渉ありと判定する上記（１）または（２）の非接触ＩＣカードリーダライタ。
（４）前記電波干渉検出部から出力される電波干渉有無の前記判定結果を表示するＬＥＤを備えている上記（１）ないし（３）のいずれかの非接触ＩＣカードリーダライタ。
（５）前記電波干渉検出部から出力される電波干渉有無の前記判定結果を、当該非接触ＩＣカードリーダライタが接続される上位機に通知する上記（１）ないし（４）のいずれかの非接触ＩＣカードリーダライタ。
（６）前記電波干渉検出部を動作させるかあるいは停止させるかを任意に切り替えることができるスイッチを備えている上記（１）ないし（４）のいずれかの非接触ＩＣカードリーダライタ。
（７）非接触ＩＣカードに対する読み書きを行う非接触ＩＣカードリーダライタにおける電波干渉状態判定方法であって、受信した受信信号を２値化した受信クロック信号と送信した送信キャリア信号の２値化情報である２値化キャリア信号との周波数を比較し、双方の信号の周波数が同一であった場合には、電波干渉はないものと判定し、同一ではなかった場合には、電波干渉があるものと判定し、電波干渉有無の判定結果として出力する電波干渉状態判定方法。
（８）前記受信信号を２値化する際の閾値レベルを可変に設定することができる上記（７）の電波干渉状態判定方法。
（９）前記判定結果を当該非接触ＩＣカードリーダライタに備えたＬＥＤに表示する上記（７）または（８）の電波干渉状態判定方法。
（１０）前記判定結果を、当該非接触ＩＣカードリーダライタが接続される上位機に通知する上記（７）ないし（９）のいずれかの電波干渉状態判定方法。
【図面の簡単な説明】
【００５０】
【図１】本発明に係る非接触ＩＣカードリーダライタのブロック構成の一例を示すブロック構成図である。
【図２】従来の非接触ＩＣカードリーダライタのブロック構成を示すブロック構成図である。
【図３】図１の非接触ＩＣカードリーダライタの電波干渉検出機能の動作の一例を説明する説明図である。
【図４】図１の非接触ＩＣカードリーダライタの電波干渉検出部の検出部において電波干渉状態を検出するための具体的な検出回路の一構成例を示す回路図である。
【図５】図１の非接触ＩＣカードリーダライタの電波干渉検出部の検出部における電波干渉状態の検知結果を使用者に表示する具体的な回路構成の一例を示す回路図である。
【図６】図１の非接触ＩＣカードリーダライタのＬＥＤの点灯状態の一例を示す説明図である。
【符号の説明】
【００５１】
１０      非接触ＩＣカードリーダライタ
１０Ａ    非接触ＩＣカードリーダライタ
１１      送信部
１２      ループアンテナ
１３ａ    検波部
１３ｂ    増幅部
１３ｃ    信号処理部
１３      受信部
１４ａ    ２値化処理部
１４ｂ    検出部
１４      電波干渉検出部
１５      ＬＥＤ
１６      駆動用トランジスタ
１７      負荷抵抗
２０      フリップフロップ
５０      非接触ＩＣカード
１００    ２値化キャリア信号（送信キャリア信号）
１０５，１０５ａ    アナログ受信信号
１１０，１２０      クロック信号
【図１】
2010087648.tif 000003
【図２】
2010087648.tif 000004
【図３】
2010087648.tif 000005
【図４】
2010087648.tif 000006
【図５】
2010087648.tif 000007
【図６】
2010087648.tif 000008